(57)【要約】【課題】複数の表示装置間で画像表示の同期を取る表示システムの構成要素の少なくできる技術を提供する。【解決手段】表示装置は、外部の表示装置と通信を行う通信部と、画像情報に応じた画像を表示する表示部と、外部の表示装置へ第１情報を通信部に送信させ、外部の表示装置へ第１情報を通信部に送信させた後に通信部を介して外部の表示装置から第２情報を受信すると、第１期間の間、表示部に画像の表示を禁止させた後、表示部に画像を表示させる制御部と、を含む。【選択図】図２
2018128485.tif 000002
【特許請求の範囲】
【請求項１】
外部の表示装置と通信を行う通信部と、
画像情報に応じた画像を表示する表示部と、
前記外部の表示装置へ第１情報を前記通信部に送信させ、前記外部の表示装置へ前記第１情報を前記通信部に送信させた後に前記通信部を介して前記外部の表示装置から第２情報を受信すると、第１期間の間、前記表示部に前記画像の表示を禁止させた後、前記表示部に前記画像を表示させる制御部と、を含むことを特徴とする表示装置。
【請求項２】
前記制御部は、前記表示装置の電源オンに応じて前記画像の表示の準備を開始し前記準備が完了した後に、前記外部の表示装置へ前記第１情報を前記通信部に送信させることを特徴とする請求項１に記載の表示装置。
【請求項３】
前記制御部は、
前記第１情報の送信に応じて前記表示部に前記画像の表示を禁止させ、前記第１情報の送信に応じて前記表示部に前記画像の表示を禁止させた後に前記通信部が前記第２情報を受信することなく第２期間が経過した場合、前記表示部に前記画像を表示させ、
前記第２期間が経過する前に前記通信部が前記第２情報を受信した場合、前記第１期間の間、前記表示部に前記画像の表示を禁止させた後、前記表示部に前記画像を表示させることを特徴とする請求項２に記載の表示装置。
【請求項４】
前記制御部は、前記第２期間が経過した後に前記第２情報が前記通信部に到達した場合には、前記表示部に前記画像の表示を維持させることを特徴とする請求項３に記載の表示装置。
【請求項５】
前記制御部は、前記第２期間が経過した後に前記通信部が前記第２情報を受信した場合には、前記表示部に、次回の画像の表示タイミングを、前記第１情報の送信タイミングと前記第２情報の受信タイミングとの時間ズレ量に応じた第３期間だけ遅くさせることを特徴とする請求項３または４に記載の表示装置。
【請求項６】
前記第２情報は、識別情報を含み、
前記制御部は、前記通信部の受信した第２情報に付加されている識別情報と同一の識別情報を前記表示装置が有している場合に、前記第１期間の間、前記表示部に前記画像の表示を禁止させた後、前記表示部に前記画像を表示させることを特徴とする請求項１から５のいずれか１項に記載の表示装置。
【請求項７】
第１表示装置と第２表示装置とを含む表示システムであって、
前記第１表示装置および前記第２表示装置は、請求項１から６のいずれか１項に記載の表示装置であることを特徴とする表示システム。
【請求項８】
外部の表示装置と通信を行う通信部と、画像情報に応じた画像を表示する表示部と、を含む表示装置の制御方法であって、
前記外部の表示装置へ第１情報を前記通信部に送信させ、前記外部の表示装置へ前記第１情報を前記通信部に送信させた後に前記通信部を介して前記外部の表示装置から第２情報を受信すると、第１期間の間、前記表示部に前記画像の表示を禁止させた後、前記表示部に前記画像を表示させることを特徴とする表示装置の制御方法。
【発明の詳細な説明】
【技術分野】
【０００１】
本発明は、表示装置、表示装置の制御方法および表示システムに関する。
【背景技術】
【０００２】
複数の表示装置（例えば、複数のプロジェクター）を用いて表示を行う表示システムが知られている。このような表示システムでは、複数の表示装置間で画像表示の同期が取られている。特許文献１には、サーバーやホストＰＣ（パーソナルコンピューター）が、時刻に関するデータを画像データと一緒に複数の表示装置に送信し、複数の表示装置が、時刻に関するデータを用いて画像表示の同期を取る表示システムが記載されている。
【先行技術文献】
【特許文献】
【０００３】
【特許文献１】特開２００５−２５０４４５号公報
【発明の概要】
【発明が解決しようとする課題】
【０００４】
特許文献１に記載の表示システムは、複数の表示装置以外に、画像表示の同期を取るためのサーバーやホストＰＣなどの装置を必要とするため、システムの構成要素が多くなってしまうという問題があった。
【０００５】
本発明は上述した事情に鑑みてなされたものであり、複数の表示装置間で画像表示の同期を取る表示システムにおいて構成要素を少なくできる技術を提供することを解決課題とする。
【課題を解決するための手段】
【０００６】
本発明に係る表示装置の一態様は、外部の表示装置と通信を行う通信部と、画像情報に応じた画像を表示する表示部と、前記外部の表示装置へ第１情報を前記通信部に送信させ、前記外部の表示装置へ前記第１情報を前記通信部に送信させた後に前記通信部を介して前記外部の表示装置から第２情報を受信すると、第１期間の間、前記表示部に前記画像の表示を禁止させた後、前記表示部に前記画像を表示させる制御部と、を含むことを特徴とすることを特徴とする。
この態様によれば、表示装置の画像表示のタイミングは、外部の表示装置によって制御可能となる。このため、表示装置と外部の表示装置とで画像表示の同期を取ることが可能になる。よって、表示装置以外のサーバーやホストＰＣを用いて複数の表示装置間で画像表示の同期を取る構成に比べて、構成要素を少なくできる。
【０００７】
上述した表示装置の一態様において、前記制御部は、前記表示装置の電源オンに応じて前記画像の表示の準備を開始し前記準備が完了した後に、前記外部の表示装置へ前記第１情報を前記通信部に送信させることが望ましい。
表示装置と外部の表示装置とで、電源オン時からの画像の表示準備期間が異なる可能性がある。この場合、表示装置と外部の表示装置とが同じタイミングで電源オンされても、表示装置と外部の表示装置とで、表示準備期間の完了タイミングが異なってしまう。
この態様によれば、外部の表示装置における表示準備期間の完了タイミングが、表示装置における表示準備期間の完了タイミングよりも遅くても、遅い方の表示準備期間の完了タイミングに応じて、表示装置と外部の表示装置との画像表示の同期を取ることが可能になる。
【０００８】
上述した表示装置の一態様において、前記制御部は、前記第１情報の送信に応じて前記表示部に前記画像の表示を禁止させ、前記第１情報の送信に応じて前記表示部に前記画像の表示を禁止させた後に前記通信部が前記第２情報を受信することなく第２期間が経過した場合、前記表示部に前記画像を表示させ、前記第２期間が経過する前に前記通信部が前記第２情報を受信した場合、前記第１期間の間、前記表示部に前記画像の表示を禁止させた後、前記表示部に前記画像を表示させることが望ましい。
この態様によれば、電源オン時から画像を表示するタイミングになるまでの期間、画像の表示を禁止しつつ、表示装置と外部の表示装置とで画像の表示開始タイミングを同期させることが可能になる。このため、使用者に、表示装置と外部の表示装置での画像表示が同時に始まったように感じさせることが可能になる。
【０００９】
上述した表示装置の一態様において、前記制御部は、前記第２期間が経過した後に前記第２情報が前記通信部に到達した場合には、前記表示部に前記画像の表示を維持させることが望ましい。
画像の表示が開始された後にその表示が一旦禁止されると、使用者は、表示装置で故障が発生したと誤認してしまうおそれがある。
この態様によれば、画像の表示が開始された後に第２情報が受信されても、画像の表示は維持される。このため、画像の表示が開始された後の第２情報の受信に応じて画像の表示が一旦禁止される場合に比べて、使用者が、表示装置で故障が発生したと誤認する可能性を小さくできる。
【００１０】
上述した表示装置の一態様において、前記制御部は、前記第２期間が経過した後に前記通信部が前記第２情報を受信した場合には、前記表示部に、次回の画像の表示タイミングを、前記第１情報の送信タイミングと前記第２情報の受信タイミングとの時間ズレ量に応じた第３期間だけ遅くさせることが望ましい。
この態様によれば、表示装置と外部の表示装置とで、次回の画像の表示タイミングを合わせることが可能になる。
【００１１】
上述した表示装置の一態様において、前記第２情報は、識別情報を含み、前記制御部は、前記通信部の受信した第２情報に付加されている識別情報と同一の識別情報を前記表示装置が有している場合に、前記第１期間の間、前記表示部に前記画像の表示を禁止させた後、前記表示部に前記画像を表示させることが望ましい。
この態様によれば、意図しない外部の表示装置と同期をとって表示してしまうことを抑制することができる。
【００１２】
本発明に係る表示システムの一態様は、第１表示装置と第２表示装置とを含む表示システムであって、前記第１表示装置および前記第２表示装置は、上述した表示装置であることを特徴とする。
この態様によれば、表示装置以外のサーバーやホストＰＣを用いることなく、第１表示装置と第２表示装置との間で画像表示の同期を取ることが可能になる。よって、表示装置以外のサーバーやホストＰＣを用いて、第１表示装置と第２表示装置との間で画像表示の同期を取る構成に比べて、構成要素を少なくできる。
【００１３】
本発明に係る表示装置の制御方法の一態様は、外部の表示装置と通信を行う通信部と、画像情報に応じた画像を表示する表示部と、を含む表示装置の制御方法であって、前記外部の表示装置へ第１情報を前記通信部に送信させ、前記外部の表示装置へ前記第１情報を前記通信部に送信させた後に前記通信部を介して前記外部の表示装置から第２情報を受信すると、第１期間の間、前記表示部に前記画像の表示を禁止させた後、前記表示部に前記画像を表示させることを特徴とする。
この態様によれば、表示装置以外のサーバーやホストＰＣを用いて、複数の表示装置間で画像表示の同期を取る場合に比べて、構成要素を少なくできる。
【図面の簡単な説明】
【００１４】
【図１】第１実施形態に係る表示システム１００の一例を示した図である。
【図２】プロジェクターＡの一例を示した図である。
【図３】投射部５の一例を示した図である。
【図４】第１実施形態の動作を説明するためのシーケンス図である。
【図５】第１実施形態の動作を説明するためのシーケンス図である。
【図６】第１実施形態の動作を説明するためのシーケンス図である。
【図７】第２実施形態の動作を説明するためのシーケンス図である。
【発明を実施するための形態】
【００１５】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１６】
＜第１実施形態＞
図１は、第１実施形態に係る表示システム１００の一例を示した図である。
表示システム１００は、プロジェクターＡおよびＢを含む。プロジェクターＡとプロジェクターＢは、通信回線Ｃを介して相互に通信可能である。プロジェクターＡとプロジェクターＢには、同一のセグメントのＩＰ（Ｉｎｔｅｒｎｅｔ  Ｐｒｏｔｏｃｏｌ）アドレスが割り当てられている。しかしながら、プロジェクターＡとプロジェクターＢは、互いの存在を認知していない。プロジェクターＡは、表示装置および第１表示装置の一例である。プロジェクターＢは、外部の表示装置および第２表示装置の一例である。
【００１７】
プロジェクターＡは、商品Ｄを視覚的に演出する画像を商品Ｄに投射する。プロジェクターＢは、商品Ｅを視覚的に演出する画像を商品Ｅに投射する。商品Ｄと商品Ｅとは、同種の商品でもよいし、異なる種類の商品でもよい。プロジェクターＡが投射する画像とプロジェクターＢが投射する画像は、共通の画像（動画または静止画）、または互いに異なる画像（動画または静止画）でもよい。また、プロジェクターＡが投射する画像とプロジェクターＢが投射する画像が異なる画像（特に動画）である場合には、連続性のある画像（例えば、プロジェクターＡが投射する画像に表示されていた物体が消えたタイミングで、プロジェクターＢが投射する画像に同じ物体が新たに表示される画像など）であってもよい。以下、商品Ｄと商品Ｅが同種の商品であり、プロジェクターＡが投射する画像とプロジェクターＢが投射する画像とが、共通の動画である例について説明する。
【００１８】
プロジェクターＡとプロジェクターＢでは、画像投射（画像表示）において同期が取られている。このため、商品Ｄに対する演出と商品Ｅに対する演出が同期し、商品Ｄと商品Ｅとを一纏めにした演出が可能になる。
【００１９】
プロジェクターＡとプロジェクターＢとは互いに共通する構成を有する。このため、説明の簡略化を図るため、プロジェクターＡとプロジェクターＢのうち、プロジェクターＡの構成、さらに言えば、プロジェクターＡの構成のうちプロジェクターＢと共通する構成について説明する。
【００２０】
図２は、プロジェクターＡの一例を示した図である。プロジェクターＡは、受付部１と、通信部２と、記憶部３と、制御部４と、投射部５とを含む。
【００２１】
受付部１は、使用者の入力操作（例えば、画像の輝度調整操作）等を受け付ける各種の操作ボタンや操作キー、タッチパネル等である。受付部１は、使用者から受け付けた入力操作に応じた情報を無線または有線で送信するリモートコントローラー等であってもよい。その場合、プロジェクターＡは、リモートコントローラーが送信した情報を受信する受信部を備える。なお、リモートコントローラーは、使用者の入力操作を受け付ける各種の操作ボタンや操作キー、タッチパネル等を備える。
【００２２】
通信部２は、通信回線Ｃを介して、プロジェクターＢと通信する。なお、通信部２は、無線通信（例えば、赤外線通信またはＢｌｕｅ  ｔｏｏｔｈ（登録商標））でプロジェクターＢと通信してもよい。
【００２３】
記憶部３は、コンピューター読み取り可能な記録媒体であり、例えばＨＤＤ（ＨａｒｄＤｉｓｋ  Ｄｒｉｖｅ）、ＵＳＢ（Ｕｎｉｖｅｒｓａｌ  Ｓｅｒｉａｌ  Ｂｕｓ）メモリー、ＳＤカード、ＲＡＭ（Ｒａｎｄｏｍ  Ａｃｃｅｓｓ  Ｍｅｍｏｒｙ）またはＲＯＭ（Ｒｅａｄ  Ｏｎｌｙ  Ｍｅｍｏｒｙ）といった半導体メモリー等のいずれか、またはこれらの組み合わせであってもよい。
記憶部３は、プロジェクターＡが処理する動画像情報と、プロジェクターＡの動作スケジュール（動画像の再生スケジュール）を示すスケジュール情報と、プログラム等を記憶する。動画像情報は、画像情報の一例である。
【００２４】
スケジュール情報は、例えば、電源オン予定時刻にプロジェクターＡの電源オンを自動的に実行する電源オン予定と、電源オン後に動画像情報を用いた再生を自動的に行う自動再生開始予定とを示す。
記憶部３では、例えば、プログラムは半導体メモリーに記憶され、各種の動画像情報およびスケジュール情報はＵＳＢメモリーやＳＤカードに記憶される。
【００２５】
制御部４は、ＣＰＵ（Ｃｅｎｔｒａｌ  Ｐｒｏｃｅｓｓｉｎｇ  Ｕｎｉｔ）等のコンピューターである。制御部４は、記憶部３に記憶されたプログラムを読み取り実行することによってプロジェクターＡを制御する。例えば、制御部４は、通信部２を介してプロジェクターＢと通信してプロジェクターＡとプロジェクターＢとで動画（表示画像）を同期させる。制御部４は、例えば、プロジェクターＢと同期したタイミングで記憶部３から動画像情報を読み取り、その動画像情報を投射部５に出力する。なお、制御部４には、プロジェクターＡの電源がオフの状態でも電源電圧が供給される。このため、制御部４は、スケジュール情報に基づいて、電源オン予定（電源オン予定時刻におけるプロジェクターＡの電源オン）を実行することができる。
【００２６】
投射部５は、表示部の一例である。なお、表示部には、動画の投射対象（例えば、商品Ｄ）は含まれない。投射部５は、制御部４が出力した動画像情報に応じた画像（動画）を商品Ｄに投射して商品Ｄを演出する表示を実行する。図３は、投射部５の一例を示した図である。投射部５は、光源１１、光変調装置の一例である３つの液晶ライトバルブ１２（１２Ｒ，１２Ｇ，１２Ｂ）、投射光学系の一例である投射レンズ１３、ライトバルブ駆動部１４等を含んで構成されている。投射部５は、光源１１から射出された光を液晶ライトバルブ１２で変調して投射画像（画像光）を形成し、この投射画像を投射レンズ１３から拡大投射する。
【００２７】
光源１１は、キセノンランプ、超高圧水銀ランプ、ＬＥＤ（Ｌｉｇｈｔ  Ｅｍｉｔｔｉｎｇ  Ｄｉｏｄｅ）、またはレーザー光源等からなる光源部１１ａと、光源部１１ａが放射した光の方向のばらつきを低減するリフレクター１１ｂとを含んで構成されている。光源１１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１２Ｒ，１２Ｇ，１２Ｂに入射する。
【００２８】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されており、液晶に対して画素１２ｐごとに駆動電圧を印加可能である。ライトバルブ駆動部１４が、制御部４から入力される画像情報（例えば、動画像情報）に応じた駆動電圧を各画素１２ｐに印加すると、各画素１２ｐは、画像情報に応じた光透過率に設定される。このため、光源１１から射出された光は、画素領域１２ａを透過することで変調され、画像情報に応じた画像が色光ごとに形成される。
【００２９】
各色の画像は、図示しない色合成光学系によって画素１２ｐごとに合成され、カラー画像（カラー画像光）である投射画像が生成される。投射画像は、投射レンズ１３によって商品Ｄに拡大投射される。
【００３０】
次に、動作を説明する。図４は、プロジェクターＡとプロジェクターＢの動作を説明するためのシーケンスである。なお、プロジェクターＡとプロジェクターＢには、共通のスケジュール情報が記憶されているとする。
【００３１】
プロジェクターＡとプロジェクターＢでは、制御部４は、スケジュール情報に従って動作する。制御部４は、電源オン予定時刻Ｔ１になると電源オンを実行する（ステップＳ１、Ｓ２）。プロジェクターＡとプロジェクターＢでは、この電源オンによって起動を開始する。
【００３２】
プロジェクターＡとプロジェクターＢでは、起動開始から起動完了までの時間（表示準備開始から表示準備完了までの表示準備期間）は、個体差、環境差（温度差）または直前の動作状態に応じて異なる可能性が高い。図４に示した例では、プロジェクターＡの表示準備期間Ｔａ（時刻Ｔ１から時刻Ｔ２までの期間）は、プロジェクターＢの表示準備期間Ｔｂ（時刻Ｔ１から時刻Ｔ４までの期間）よりも長い。そこで、本実施形態では、この時間（表示準備期間）差が表示開始タイミングの差に影響することを低減させる。以下、この点を中心に説明する。
【００３３】
プロジェクターＡで表示準備（起動）が完了すると（ステップＳ３）、プロジェクターＡにおいて、制御部４は、通信部２を制御して、プロジェクターＢへ再生開始通知を送信する第１処理を通信部２に実行させる（ステップＳ４）。この際、プロジェクターＡの通信部２は、再生開始通知の送信先としてプロジェクターＢを特定せずに、ブロードキャストで再生開始通知を通信回線Ｃに送信してもよい。プロジェクターＡが送信する再生開始通知は、第１情報の一例である。
【００３４】
ここで、ステップＳ４で送信された再生開始通知はプロジェクターＢに到達するが、プロジェクターＢは、起動中であるため、この再生開始通知を受信できない。よって、プロジェクターＢは、この再生開始通知に応じて動作を実行することはない。
【００３５】
一方、プロジェクターＡでは、制御部４は、第１処理を通信部２に実行させた後、動画再生をスタートする（ステップＳ５）。具体的には、プロジェクターＡの制御部４は、記憶部３から動画像情報の読み取りを開始する。続いて、プロジェクターＡでは、制御部４は、投射部５に黒色の単色画像を示すブラックアウト画像情報を出力して投射部５に動画の表示を禁止させて、時刻Ｔ３から期間Ｔｄのミュート（表示停止）を開始する（ステップＳ６）。このため、記憶部３から動画像情報が読み取られても、その動画像情報に応じた画像（動画）は投射（表示）されない。ステップＳ６で開始される期間Ｔｄは、第２期間の一例である。
【００３６】
プロジェクターＡでミュートが開始された後に、プロジェクターＢで時刻Ｔ４に表示準備（起動）が完了すると（ステップＳ７）、プロジェクターＢにおいて、制御部４は、通信部２を制御して、プロジェクターＡへ再生開始通知を送信する第２処理を通信部２に実行させる（ステップＳ８）。この際、プロジェクターＢの通信部２は、再生開始通知の送信先となるプロジェクターＡを特定せずに、ブロードキャストで再生開始通知を送信してもよい。プロジェクターＢが送信する再生開始通知は、第２情報の一例である。
【００３７】
プロジェクターＡでは、ミュートを実行している間に通信部２が再生開始信号を受信すると、制御部４は、動画再生を動画の始めから再スタートする（ステップＳ９）。一方、プロジェクターＢでは、制御部４は、第２処理を通信部２に実行させた後、動画再生（記憶部３からの動画像情報の読み取り）をスタートする（ステップＳ１０）。
このため、プロジェクターＡでの動画再生とプロジェクターＢでの動画再生が、実質的に、プロジェクターＢからの再生開始通知の送信に応じて開始され、これらの動画再生について同期が取られる。
【００３８】
続いて、プロジェクターＡおよびＢにおいて、制御部４は、投射部５にブラックアウト画像情報を出力して投射部５に画像の表示を禁止させて、期間Ｔｄのミュートを開始させる（ステップＳ１１、Ｓ１２）。これらのミュート開始タイミング（時刻Ｔ５）も、実質的に、プロジェクターＢからの再生開始通知の送信に応じたタイミングとなり、同期が取られる。ステップＳ１１で開始される期間Ｔｄは、第１期間の一例である。ステップＳ１２で開始される期間Ｔｄは、第２期間の一例である。
【００３９】
その後、プロジェクターＡおよびＢでは、制御部４は、期間Ｔｄのミュートが終了した時刻Ｔ６で、動画像情報を投射部５に出力し、投射部５の動画表示をスタートさせる（ステップＳ１３、Ｓ１４）。このため、プロジェクターＡでの表示開始タイミングとプロジェクターＢでの表示開始タイミングとを同期させることができる。
【００４０】
なお、時刻Ｔ２から時刻Ｔ３までの時間と、時刻Ｔ４から時刻Ｔ５までの時間は、共に時間Ｔｃである。図４に示した例では、プロジェクターＡの表示準備期間ＴａとプロジェクターＢの表示準備期間Ｔｂとの差が、プロジェクターＡのミュート期間ＴｅとプロジェクターＢのミュート期間Ｔｄとの差で相殺されている。これによって、プロジェクターＡの表示開始タイミングとプロジェクターＢの表示開始タイミングが同期する。
【００４１】
図５は、プロジェクターＡでのミュート期間Ｔｄが経過したとき（時刻Ｔ７）の後に、プロジェクターＢから再生開始通知が送信された場合の動作の一例を説明するためのシーケンス図である。図５において、図４に示した処理と同様の処理には同一符号を付してある。以下、図５に示した処理のうち、図４に示した処理と異なる処理を中心に説明する。
【００４２】
プロジェクターＡでは、制御部４は、投射部５にミュートを開始させた後に通信部２が再生開始通知を受信することなくミュート期間Ｔｄが経過すると、投射部５の動画表示をスタートさせる（ステップＳ１３）。
【００４３】
プロジェクターＡでは、制御部４は、その後に再生開始通知が通信部２に到達した場合には、投射部５に動画の表示を維持させる。この場合、プロジェクターＡが投射する動画とプロジェクターＢが投射する動画との間で時間的なズレΔＴが生じる。この時間的なズレを解消するために、プロジェクターＡの制御部４が、再生開始通知の受信に応じて図４に示したステップＳ９およびＳ１１を実行すると、動画表示が一旦ブラックアウト表示に切り換わる現象が生じる。この現象は、プロジェクターＡで故障が発生したという誤認を使用者に引き起こすおそれがある。このため、制御部４は、再生開始通知が通信部２に到達した場合には、投射部５に動画像の投射を維持させる。
【００４４】
この際、制御部４は、ステップＳ４で再生開始通知を送信したタイミングと、プロジェクターＢから再生開始通知を受信したタイミングとの時間ズレ量ΔＴを、記憶部３に記憶する。この時間ズレ量ΔＴは、ステップＳ１３でプロジェクターＡが動画表示をスタートしたタイミングと、ステップＳ１４でプロジェクターＢが動画表示をスタートしたタイミングとの時間ズレ量と一致する。
【００４５】
図６は、図５に示した動作の後に次の画像（動画）を表示する動作の一例を説明するためのシーケンス図である。
プロジェクターＡでは、図５のステップＳ５でスタートした動画再生が終了すると、制御部４は、次の動画像の表示準備（例えば、記憶部３からの動画像情報の読み出し位置の切換え等）を開始する（ステップＳ１５）。
【００４６】
そして、プロジェクターＡで表示準備が完了すると（ステップＳ１６）、プロジェクターＡにおいて、制御部４は、次の動画の再生をスタートし（ステップＳ１７）、その後、投射部５に動画の表示を禁止させて時刻Ｔ１１から期間Ｔｄのミュートを開始させる（ステップＳ１８）。
【００４７】
プロジェクターＡでは、時刻Ｔ１２に期間Ｔｄのミュートが終了すると、制御部４は、記憶部３から時間ズレ量ΔＴを読み出し、投射部５に動画の表示を禁止させて期間ΔＴのミュート（追加ミュート）を投射部５に実行させ（ステップＳ２０）、時刻Ｔ１４で追加ミュートが終了すると、動画表示をスタートさせる（ステップＳ２４）。
【００４８】
一方、プロジェクターＢでも、動画再生が終了すると、制御部４は、次の動画の表示準備を開始し（ステップＳ１９）、表示準備が完了すると（ステップＳ２１）、動画再生をスタートし（ステップＳ２２）、投射部５に動画の表示を禁止させて時刻Ｔ１３から期間Ｔｄのミュートを開始させ（ステップＳ２３）、時刻Ｔ１４で期間Ｔｄのミュートが終了すると、動画表示をスタートさせる（ステップＳ２５）。
【００４９】
図６の例では、プロジェクターＢよりも期間ΔＴだけ先に動画表示がスタートしたプロジェクターＡでは、制御部４は、次の動画の表示開始時のミュート期間をプロジェクターＢよりも期間ΔＴだけ長くする。これにより、プロジェクターＡでは、制御部４は、投射部５に、次回の画像の表示タイミングを期間ΔＴだけ遅くさせる。このため、プロジェクターＡとプロジェクターＢとで、次の画像の表示タイミングを同期させることが可能になる。期間ΔＴは、第３期間の一例である。
【００５０】
＜第２実施形態＞
第２実施形態では、表示システム１００に含まれる複数のプロジェクターの各々がいずれかのグループに属しており、同一グループに属するプロジェクター同士で表示が同期する。
例えば、通信回線Ｃに３台のプロジェクターＡ、ＢおよびＦが接続されている状況で、プロジェクターＡおよびＢが「グループＭ」に属し、プロジェクターＦが「グループＮ」に属しているとする。この場合、プロジェクターＡとプロジェクターＢでは表示は同期するが、プロジェクターＡとプロジェクターＦでは表示は同期せず、プロジェクターＢとプロジェクターＦでは表示は同期しない。
【００５１】
本実施形態では、プロジェクターＡおよびＢでは、記憶部３がグループＭの識別情報を記憶し、プロジェクターＦでは、記憶部３がグループＮの識別情報を記憶している。
プロジェクターＡおよびＢでは、制御部４は、グループＭの識別情報が付加された再生開始通知を送信し、プロジェクターＦの制御部４は、グループＮの識別情報が付加された再生開始通知を送信する。
プロジェクターＡ、ＢおよびＦの各々では、制御部４は、通信部２の受信した再生開始通知に付加されている識別情報と同一の識別情報を記憶部３が記憶している場合に、期間Ｔｄの間、投射部５に画像の表示を禁止させた後、投射部５に動画を表示させる。
【００５２】
図７は、第２実施形態の動作を説明するためのシーケンス図である。図７では、ステップＳ４の代わりにステップＳ４ａが実行され、ステップＳ８の代わりにステップＳ８ａが実行される。図７において、プロジェクターＦについての動作、具体的には、ステップＳ２６、Ｓ２７、Ｓ２８、Ｓ２９、Ｓ３２およびＳ３３は、それぞれ、ステップＳ２、Ｓ７、Ｓ８ａ、Ｓ１０、Ｓ１２、Ｓ１４と同様であるので詳細な説明は省略する。以下、図４に示した処理と異なる点を中心に説明する。
【００５３】
ステップＳ４ａでは、プロジェクターＡの制御部４は、グループＭの識別情報が付加された再生開始通知を、プロジェクターＢおよびＦに送信する。ステップＳ４ａで送信された再生開始通知はプロジェクターＢおよびＦに到達するが、プロジェクターＢおよびＦは、起動中であるため、この再生開始通知を受信できない。よって、プロジェクターＢおよびＦは、この再生開始通知に応じて動作を実行することはない。
【００５４】
ステップＳ２８では、プロジェクターＦの制御部４は、グループＮの識別情報が付加された再生開始通知を、プロジェクターＡおよびＢに送信する。ステップＳ２８で送信された再生開始通知はプロジェクターＡおよびＢに到達する。
プロジェクターＡの制御部４は、到達した再生開始通知に付加されたグループＮの識別情報と同一の識別情報を記憶部３が記憶していないため、この到達した再生開始通知を破棄する。プロジェクターＢは、起動中であるため、ステップＳ２８で送信された再生開始通知を受信できない。
【００５５】
ステップＳ８ａでは、プロジェクターＢの制御部４は、グループＭの識別情報が付加された再生開始通知を、プロジェクターＡおよびＦに送信する。ステップＳ８ａで送信された再生開始通知はプロジェクターＡおよびＦに到達する。
プロジェクターＡの制御部４は、到達した再生開始通知に付加されたグループＭの識別情報と同一の識別情報を記憶部３が記憶しているため、ステップＳ９、Ｓ１１、Ｓ１３を順次実行する。プロジェクターＦの制御部４は、到達した再生開始通知に付加されたグループＭの識別情報と同一の識別情報を記憶部３が記憶していないため、この到達した再生開始通知を破棄する。
このため、プロジェクターＡとプロジェクターＢでは表示は同期するが、プロジェクターＡとプロジェクターＦでは表示は同期せず、プロジェクターＢとプロジェクターＦでは表示は同期しない。
【００５６】
上述したように各実施形態のプロジェクターＡやプロジェクターＡの制御方法によれば、プロジェクター以外の同期用機器（例えば、サーバーやホストＰＣ）を用いずに、複数のプロジェクター間で画像表示の同期を取ることができる。このため、プロジェクター以外のサーバーやホストＰＣを用いて複数のプロジェクター間で画像表示の同期を取る場合に比べて、構成要素を少なくできる。
【００５７】
＜変形例＞
本発明は、上述した各実施形態に限定されるものではなく、例えば、次に述べるような各種の変形が可能である。また、次に述べる変形の態様の中から任意に選択された一または複数の変形を適宜組み合わせることもできる。
【００５８】
＜変形例１＞
ステップＳ５とステップＳ６の順番、ステップＳ１０とステップＳ１２の順番、ステップＳ９とステップＳ１１の順番、ステップＳ１７とステップＳ１８の順番、ステップＳ２２とステップＳ２３の順番、およびステップＳ２９とステップＳ３３の順番の少なくとも１つは逆でもよい。
【００５９】
＜変形例２＞
制御部４は、ミュート期間Ｔｄが終了した後に再生開始通知が通信部２に到達した場合に（図５のステップＳ８参照）、投射部５に動画の投射を維持させずに、動画再生を再スタートさせ、ミュートを再開始させてもよい。この場合、プロジェクターＡが投射する動画とプロジェクターＢが投射する動画とを同期させることが可能になる。
【００６０】
＜変形例３＞
制御部４は、図６に示したステップＳ１６に続いて、通信部２に再生開始通知を送信されてもよい。また、制御部４は、追加ミュート期間に、通信部２が再生開始通知を受信した場合、動画再生を再スタートさせ、期間Ｔｄのミュートを再開始させてもよい。
【００６１】
＜変形例４＞
各実施形態では、再生開始通知の送信に応じたミュート期間（第２期間）と、再生開始通知の受信に応じたミュート期間（第１期間）とを、共に期間Ｔｄとしているが、これらを異なる期間にしてもよい。
例えば、プロジェクターＡが再生開始通知を受信するタイミングは、プロジェクターＢが再生開始通知を送信するタイミングよりも、再生開始通知の通信に要する時間だけ遅くなるため、再生開始通知の送信に応じたミュート期間（第２期間）を、再生開始通知の受信に応じたミュート期間（第１期間）よりも長くしてもよい。
【００６２】
＜変形例５＞
第１実施形態において、表示システム１００に含まれるプロジェクターの数は２に限らず３以上でもよい。また、第２実施形態において、表示システム１００に含まれるプロジェクターの数は２以上であればよい。
【００６３】
＜変形例６＞
投射部５では、光変調装置として液晶ライトバルブが用いられたが、光変調装置は液晶ライトバルブに限らず適宜変更可能である。例えば、光変調装置として、３枚の反射型の液晶パネルを用いた構成であってもよい。また、光変調装置は、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【００６４】
＜変形例７＞
表示装置としてプロジェクターが用いられたが、表示装置はプロジェクターに限らず適宜変更可能である。例えば、表示装置は、直視型のディスプレイ（液晶ディスプレイ、有機ＥＬ（Ｅｌｅｃｔｒｏ  Ｌｕｍｉｎｅｓｃｅｎｃｅ）ディスプレイ、プラズマディスプレイ、ＣＲＴ（陰極線管）ディスプレイ等）であってもよい。
【符号の説明】
【００６５】
１００…表示システム、１…受付部、２…通信部、３…記憶部、４…制御部、５…投射部、Ａ，Ｂ…プロジェクター、Ｃ…通信回線、Ｄ，Ｅ…商品。
【図１】
2018128485.tif 000003
【図２】
2018128485.tif 000004
【図３】
2018128485.tif 000005
【図４】
2018128485.tif 000006
【図５】
2018128485.tif 000007
【図６】
2018128485.tif 000008
【図７】
2018128485.tif 000009